(57)【要約】      （修正有）【課題】  少ない色数の緯糸で、原画像の色調をよりよく再現するカラー織物を実現する。【解決手段】彩色された経糸または緯糸を選択的に織物の表面に出すことにより色彩を表現する織物において、緯糸が形成する、白、黒、赤、緑、青の色糸からなる第１の色糸組と、白、黒、シアン、マゼンダ、黄の色糸からなる第２の色糸組とが交互に配置される。【選択図】  図１
2005281926.tif 000002
【特許請求の範囲】
【請求項１】
彩色された経糸または緯糸を選択的に織物の表面に出すことにより色彩を表現する織物において、
上記緯糸は、白、黒、赤、緑、青、シアン、マゼンダ及び黄の８色の色糸のうち、２色以上かつ７色以下の色糸からなる色糸組を形成し、
１組の色糸組は、１本の経糸に対し、色糸組の何れか１色の色糸が織物の表面となるように、あるいは全ての色糸が織物の裏面となるように配置され、
任意の色糸組は、１組前の色糸組の色糸とは異なる色糸を１本以上含むことを特徴とする織物。
【請求項２】
上記８色の色糸のうち２色以上かつ７色以下の色糸からなる第１の色糸組と、当該第１の色糸組の色糸とは異なる色糸を１本以上含む第２の色糸組とが交互に配置されることを特徴とする請求項１に記載の織物。
【請求項３】
彩色された経糸または緯糸を選択的に織物の表面に出すことにより色彩を表現する織物において、
上記緯糸は、白、黒、赤、緑、青の色糸からなる第１の色糸組と、白、黒、シアン、マゼンダ、黄の色糸からなる第２の色糸組とを形成し、
１組の色糸組は、１本の経糸に対し、色糸組の何れか１色の色糸が織物の表面となるように、あるいは全ての色糸が織物の裏面となるように配置され、
上記第１の色糸組と上記第２の色糸組とが交互に配置されることを特徴とする織物。
【請求項４】
彩色された経糸または緯糸を選択的に織物の表面に出すことにより色彩を表現する織物において、
上記緯糸は、白、黒、赤、シアンの色糸からなる第１の色糸組と、白、黒、緑、マゼンダの色糸からなる第２の色糸組と、白、黒、青、黄の色糸からなる第３の色糸組とを形成し、
１組の色糸組は、１本の経糸に対し、色糸組の何れか１色の色糸が織物の表面となるように、あるいは全ての色糸が織物の裏面となるように配置され、
上記第１の色糸組と上記第２の色糸組と上記第３の色糸組とが周期的に繰り返されるように配置されることを特徴とする織物。
【請求項５】
上記経糸は白、黒、赤、緑、青、シアン、マゼンダ及び黄の８色の何れかの色糸からなり、請求項１〜４の何れか１項に記載の色糸組において、上記経糸の色糸が除かれることを特徴とする織物。
【請求項６】
彩色された経糸または緯糸を選択的に織物の表面に出すことにより色彩を表現する織物を織るために、織物の表面に出す色糸の配置を指定するカラーコードデータの形成方法であって、
原画像を所定の数のブロックに分割する分割ステップと、
上記分割された各ブロックの赤成分、緑成分、および青成分をそれぞれ計算する計算ステップと、
上記原画像の各ブロックに対応するカラーコードデータ上のブロック内の赤成分、緑成分、および青成分がそれぞれ、上記計算ステップで計算された値と最も近くなるように、色の配置を決定する配置決定ステップとを含み、
カラーコードデータ上の各ブロックは、上下２段に分かれており、かつ、上下２段とも１本の色糸に対応する小ブロックに分かれており、上記配置決定ステップでは、
上段の小ブロックに入る色を、白、黒、赤、緑、青、シアン、マゼンダ及び黄の８色のうち２色以上７色以下からなる選定色の中から選び、
下段の小ブロックに入る色を、上段とは少なくとも１色以上異なる色を含み、かつ、上記８色のうち２色以上７色以下からなる選定色の中から選ぶことを特徴とするカラーコードデータの作成方法。
【発明の詳細な説明】
【技術分野】
【０００１】
本発明は、彩色された経糸と緯糸を選択的に織物の表面に織り出すことにより、フルカラーの原画像を擬似的にフルカラー表現するカラー織物、およびカラーコードデータの作成方法に関するものである。
【背景技術】
【０００２】
先染め織物とは、予め彩色が施された経（タテ）糸と緯（ヨコ）糸を織物の表面に織り出すことにより、様々な意匠の織物を実現するものである。
【０００３】
このような織物において、デジタルカメラなどで撮影した画像（原画像）や、デザイナーにより描かれたフルカラーの原画像等を織物上に擬似的に再現する方法として「色まとめ」とよばれる手法が幅広く用いられている。この色まとめでは、原画像に用いられている色を分析し、類似しているものを整理・分類することにより、原画像を減色する。そして、この減色された原画像にある色により彩色された経糸または緯糸を用いることにより、疑似フルカラーの織物が製作される。実際この色まとめを、コンピュータを用いて行う方法が提案されている（例えば、特許文献１参照）。
【特許文献１】特開２０００−２１２８５０（２０００年８月２日公開）
【発明の開示】
【発明が解決しようとする課題】
【０００４】
しかしながら、上記のような色まとめの手法を用いても、デジタルカメラやスキャナ等を用いて得られたフルカラーの原画像を織物上になるべく忠実に表現するためには、使用する色の数が多い為、コストが嵩んでしまう。
【０００５】
また、上記のような色まとめの手法では、原画像にある微妙なグラデーション画像を表現するのは困難である。これは、原画像を減色する過程において類似した色をまとめて同じ色で表現するため、グラデーションの部分に縞模様状に等高線のような色調の境目が発生し、不快な模様として目立つことになってしまうためである。このことについて、具体的に図８（ａ），（ｂ）を用いて説明する。図８（ａ）は、黒から白になめらかに変化するグラデーションの原画像である。図８（ｂ）は、色まとめの手法で４色を用いる場合の織物を表す図であり、４つの色（例えば、ほぼ黒、少しうすい黒、さらにうすい黒、ほぼ白）にまとめるため、図に示すようにそれぞれの色の境目がはっきりわかり、縞模様が発生してしまう。
【０００６】
また、印刷の手法を用いて、つまり、白、黒、赤、緑、青、シアン、マゼンダ及び黄８色に彩色された色糸を用いて織物を作成する方法もあるが、コストがかかり厚みのある織物となってしまう。
【０００７】
本発明は、上記の問題点に鑑みてなされたものであり、その目的は、少ない色数の緯糸で、原画像の色調をよりよく再現するカラー織物、およびカラーコードデータの作成方法を実現することにある。
【課題を解決するための手段】
【０００８】
本発明に係る織物は、上記課題を解決するために、彩色された経糸または緯糸を選択的に織物の表面に出すことにより色彩を表現する織物において、上記緯糸が、白、黒、赤、緑、青、シアン、マゼンダ及び黄の８色の色糸のうち、２色以上かつ７色以下の色糸からなる色糸組を形成し、１組の色糸組が、１本の経糸に対し、色糸組の何れか１色の色糸が織物の表面となるように、あるいは全ての色糸が織物の裏面となるように配置され、任意の色糸組が、１組前の色糸組の色糸とは異なる色糸を１本以上含むことを特徴としている。
【０００９】
上記構成によると、緯糸が形成する１組の色糸組は７色以下の色糸から形成される。そのため、少ない色数の緯糸で織物を構成することができる。そのため、コストがかからず、また、織物の厚さを薄くすることができる。
【００１０】
また、色糸組は、色の三原色から生じる８色である、白、黒、赤、緑、青、シアン、マゼンダ及び黄の色糸から選ばれるため、任意の組の色糸組とその１組前の色糸組として用いる色糸の組み合わせを適宜選択することにより、原画像の色調に近いものを再現することができる。なお、ここで、白の色糸とは、白っぽく見える色糸も含むものとする。また、黒、赤、緑、青、シアン、マゼンダ及び黄の色糸についても、同様とする。また、以下の記載においても同様とする。
【００１１】
また、織物において、１組の色糸組が占領する領域を行と呼ぶことにすると、上記８色全てを使う織物に比べて、色糸が少ないため、行間隔を狭くすることができるので、織物の図柄の解像度を上げることができる。
【００１２】
また、上記構成によると、任意のどの色糸組を取り出しても、その色糸組に含まれる色は、１組前の色糸組と比べも少なくとも１色は違う。そのため、グラデーションを表現する際に、織物の縦方向に同じ色を続けて出さなくてもよく、つまり、色を分散させることができるので、縞模様は発生しない。
【００１３】
本発明に係る織物は、上記課題を解決するために、上記構成に加え、上記８色の色糸のうち２色以上７色以下の色糸からなる第１の色糸組と、当該第１の色糸組の色糸とは異なる色糸を１本以上含む第２の色糸組とが交互に配置されていてもよい。
【００１４】
この場合、例えば、白、黒、赤、緑、青の色糸からなる第１の色糸組と、白、黒、シアン、マゼンダ、黄の色糸からなる第２の色糸組とが交互に配置されていると、第１の色糸組と第２の色糸組とにより、色の三原色から生じる８色、白、黒、赤、緑、青、シアン、マゼンダ及び黄の全てが取り込まれる。そのため、フルカラーの原画像に近い色調を織物上に再現することができる。
【００１５】
第１の色糸組および第２の色糸組における色糸の組み合わせ及び色糸の数は、上記に限定されない。つまり、例えば、第１の色糸組が白、黒、赤、緑、青、シアンであって、第２の色糸組がマゼンダ、黄のようになっていてもかまわない。
【００１６】
また、上記のように、第１の色糸組および第２の色糸組の中に、色の三原色から生じる８色全てが含まれているのが好ましいが、第１の色糸組および第２の色糸組における色糸の組み合わせおよび色糸の数は、特に限定されない。
【００１７】
また、例えば、原画像において黄とシアンに近い中間色が少ない場合、これらの色を用いないようにしてもかまわない。つまり、第１の色糸組および第２の色糸組は、黄とシアンを除いた６色（黒、白、赤、緑、青、マゼンダ）から選んでもよい。この場合も、第１の色糸組および第２の色糸組の中に上記６色全てが含まれると、フルカラーの原画像に近い色調を織物上に再現することができるため、好ましい。
【００１８】
また、経糸は白、黒、赤、緑、青、シアン、マゼンダ及び黄の８色の何れかの色糸からなり、色糸組において、経糸の色糸が除かれていてもよい。このようにすることで、さらに色糸組の１組あたりの色糸を少なくすることができ、さらにコストがかからず、また、織物の厚さを薄くすることができる。
【００１９】
例えば、織物の経糸が白の色糸である場合、黒、赤、緑、青の色糸からなる第１の色糸組と、黒、シアン、マゼンダ、黄の色糸からなる第２の色糸組とが交互に配置されていてもよい。このような場合、白の色糸を織物の表面に出したい場合、経糸を出せばよいことになる。よって、さらに緯糸の数を減らして、原画像の色調をより少ない緯糸で表現することがことができる。なお、経糸は白の色糸に限定されず、黒、赤、緑、青、シアン、マゼンダ、黄の何れの色糸であってもよく、色糸組は縦糸の色糸以外の色糸から選べばよい。
【００２０】
また、好ましい色糸組の選択法として、上記８色を３つの色糸組に割り振る方法もある。具体的には、例えば、白、黒、赤、シアンの色糸からなる第１の色糸組と、白、黒、緑、マゼンダの色糸からなる第２の色糸組と、白、黒、青、黄の色糸からなる第３の色糸組とを形成する。そして、これらの３つの色糸組は、織物において周期的に繰り返されるように配置される。例えば、第１の色糸組、第２の色糸組、第３の色糸組、第１の色糸組、第２の色糸組、第３の色糸組、・・・、の順に繰り返されるように配置される。赤とシアン、緑とマゼンダ、青と黄はそれぞれ補色の関係にあるので、各色糸組には、後述のＲＧＢ色成分を均等に持つので、少ない色糸でフルカラーの原画像に近い色調を再現することができる。なお、繰り返しの順は上記したものに限定されず、上記第２の色糸組、第１の色糸組、第３の色糸組、・・・、の順、あるいは、第１の色糸組、第３の色糸組、第２の色糸組、・・・、の順に繰り返されていてもよい。
【００２１】
また、上記のように、第１の色糸組、第２の色糸組、第３の色糸組の中に、色の三原色から生じる８色全てが含まれているのが好ましいが、第１の色糸組、第２の色糸組、第３の色糸組における色糸の組み合わせおよび色糸の数は、特に限定されない。
【００２２】
上記のように３つの色糸組にした場合も、上記と同様に、例えば、織物の経糸が白の色糸である場合、白の色糸を織物の表面に出したいときには、経糸を出せばよいことになる。よって、３つの各色糸組から白の色糸を除外することもできる。なお、経糸は白、黒、赤、緑、青、シアン、マゼンダの８色の何れかの色糸とすれば、上記した各糸色組から経糸の色糸を除外してもよい。このように経糸と同じ色糸を除外することで、３つの色糸組にした場合でも、色糸組の１組あたりの色糸を少なくすることができ、コストがかからず、また、織物の厚さを薄くすることができる。
【００２３】
本発明のカラーコードデータの作成方法は、上記課題を解決するために、彩色された経糸または緯糸を選択的に織物の表面に出すことにより色彩を表現する織物を織るために、織物の表面に出す色糸の配置を指定するカラーコードデータの作成方法であって、原画像を所定の数のブロックに分割する分割ステップと、上記分割された各ブロックの赤成分、緑成分、および青成分をそれぞれ計算する計算ステップと、上記原画像の各ブロックに対応するカラーコードデータ上のブロック内の赤成分、緑成分、および青成分がそれぞれ、上記計算ステップで計算された値と最も近くなるように、色の配置を決定する配置決定ステップとを含み、カラーコードデータ上の各ブロックは、上下２段に分かれており、かつ上下２段とも１本の色糸に対応する小ブロックに分かれており、上記配置決定ステップでは、上段の小ブロックに入る色を、白、黒、赤、緑、青、シアン、マゼンダ及び黄の８色のうち、２色以上７色以下からなる選定色の中から選び、下段の小ブロックに入る色を、上段とは少なくとも１色以上異なる色を含み、かつ、上記８色のうち２色以上７色以下からなる選定色の中から選ぶことを特徴とするカラーコードデータの作成方法を特徴としている。
【００２４】
上記方法によると、少ない色数の緯糸で原画像に近い色調の織物を織るためのカラーコードデータを作成することができる。
【発明の効果】
【００２５】
本発明に係る織物は、以上のように、緯糸が、白、黒、赤、緑、青、シアン、マゼンダ及び黄の８色の色糸のうち、２色以上かつ７色以下の色糸からなる色糸組を形成し、１組の色糸組が、１本の経糸に対し、色糸組の何れか１色の色糸が織物の表面となるように、あるいは全ての色糸が織物の裏面となるように配置され、任意の色糸組が、１組前の色糸組の色糸とは異なる色糸を１本以上含んでいる。
【００２６】
また、本発明に係る織物は、以上のように、緯糸が、白、黒、赤、緑、青の色糸からなる第１の色糸組と、白、黒、シアン、マゼンダ、黄の色糸からなる第２の色糸組とを形成し、１組の色糸組が、１本の経糸に対し、色糸組の何れか１色の色糸が織物の表面となるように、あるいは全ての色糸が織物の裏面となるように配置され、上記第１の色糸組と上記第２の色糸組とが交互に配置されていてもよい。
【００２７】
また、本発明に係る織物は、以上のように、緯糸が、白、黒、赤、シアンの色糸からなる第１の色糸組と、白、黒、緑、マゼンダの色糸からなる第２の色糸組と、白、黒、青、黄の色糸からなる第３の色糸組とを形成し、１組の色糸組は、１本の経糸に対し、色糸組の何れか１色の色糸が織物の表面となるように、あるいは全ての色糸が織物の裏面となるように配置され、上記第１の色糸組と上記第２の色糸組と上記第３の色糸組とが周期的に繰り返されるように配置されていてもよい。
【００２８】
上記構成によると、少ない色数の緯糸で織物を構成することができる。そのため、コストがかからず、また、織物の厚さを薄くすることができる。また、色糸組は、色の三原色から生じる８色である、白、黒、赤、緑、青、シアン、マゼンダ及び黄の色糸から選ばれるため、任意の組の色糸組とその１組前の色糸組として用いる色糸の組み合わせを適宜選択することにより、原画像の色調に近いものを再現することができる。
【００２９】
また、織物において、１組の色糸組が占領する領域を行と呼ぶことにすると、上記８色の色糸全てを使う織物に比べて、色糸が少ないため行間隔を狭くすることができるので、織物の図柄の解像度を上げることができる。
【００３０】
また、本発明に係るカラーコードデータの作成方法も同一の効果を実現できる。
【発明を実施するための最良の形態】
【００３１】
本発明の一実施形態について図１〜図７に基づいて説明すると以下の通りである。
【００３２】
初めに織物の色糸の配置を指定するカラーコードデータについて説明する。
【００３３】
織物の色糸の配置を指定するカラーコードデータ（織物データ）は、色を要素とする縦横の２次元配列である。つまり、織物の表面に出る色糸を指定するための色が２次元的に配列されている。図２（ａ）は、２行×６列の織物データの一例を示している。ここでは、図２（ａ）に示すように、織物データの行について、上から順にＬ１、Ｌ２と呼び、また、列について、左から順にＣ１、Ｃ２…、Ｃ６と呼ぶものとする。Ｌ１では、赤（Ｒ）と青（Ｂ）との２色を用い、Ｌ２では、青（Ｂ）、白（Ｗ）、および黒（Ｋ）の３色を用いている。ここで、上記織物データにおいて、例えば（Ｌ１，Ｃ２）とは、上から１行目、左から２列目の位置を表すものとする。
【００３４】
この織物データの各要素の色が織物の表面に繰り出されるように、織物を次のように製作する。まず、上記織物データは６列からなるなので、図２（ｂ）に示すように、各列に経糸として白の色糸を１本づつ合計６本（左から順にｖ１、ｖ２、ｖ３、ｖ４、ｖ５、ｖ６と表わす）を用いる。織物データのＬ１に対しては、２色の緯糸として赤の色糸（ｈ１と表わす）と青の色糸（ｈ２と表わす）とを用いる。織物データのＬ２に対しては、２色の緯糸として黒の色糸（ｈ３と表わす）と青の色糸（ｈ４と表わす）とを用いる。上記のような織物データから織物を製作する際には、織物データで指定された色の経糸または緯糸が織物の表面に繰り出すように、配置を決める。織物データの（Ｌ１，Ｃ１）、（Ｌ１，Ｃ２）、（Ｌ１，Ｃ５）、および（Ｌ１，Ｃ６）はＲなので、ｈ１を、ｖ１、ｖ２、ｖ５、ｖ６の上に繰り出す。また、（Ｌ１，Ｃ３）と（Ｌ１，Ｃ４）はＢなので、ｈ２をｖ３、ｖ４の上に繰り出す。次に、（Ｌ２，Ｃ１）と（Ｌ２，Ｃ２）はＢなので、ｈ４は、ｖ１とｖ２の上に繰り出す。（Ｌ２，Ｃ４）、（Ｌ２，Ｃ５）、および（Ｌ２，Ｃ６）はＫなので、ｈ３はｖ４、ｖ５、ｖ６の上に繰り出す。（Ｌ２，Ｃ３）はＷなので、ｖ３は、ｈ３とｈ４の上に繰り出す。また、（Ｌ２，Ｃ３）のＷに対して、ｖ３の代りに、緯糸として白の色糸（ｈ５とする）を別途用意してもよい。つまり、ｖ３の上にｈ５として繰り出すことも可能である。以上のように織物データから織物を製作することができる。
【００３５】
次に、織物データにおける色の配列について説明する。織物上に擬似的にフルカラーを実現するために、色成分をＲ、Ｇ、Ｂに分解して考える。コンピュータディスプレイのように発光するデバイスでは、１つの色は、Ｒ、Ｇ、Ｂの光の三原色の輝度の混色として表現される。つまり、Ｒ、Ｇ、Ｂの各色成分の輝度値を０以上１以下の実数値とすると、図３に示されるような３次元空間の、大きさ１×１×１の立方体内の点で全ての色を表わすことができる。この３次元空間において、白（Ｗ）、黒（Ｋ）、赤（Ｒ）、緑（Ｇ）、青（Ｂ）、シアン（Ｃ）、マゼンダ（Ｍ）及び黄（Ｙ）の基本８色は、３次元空間の以下の座標、つまり、
Ｋ：（０、０、０）
Ｗ：（１、１、１）
Ｒ：（１、０、０）
Ｇ：（０、１、０）
Ｂ：（０、０、１）
Ｃ：（０、１、１）
Ｍ：（１、０、１）
Ｙ：（１、１、０）
で表すことができる。
【００３６】
また、中間色はこれら基本８色の組合せで表現することができる。例えば、図４のように、４つの要素（小ブロック）からなる正方形のうち、２つの要素がＹ、１つの要素がＲ、残りの１つの要素がＷの色であるとする。すると、正方形全体が反射する光のＲＧＢ色成分は、要素数に関する加重平均、つまり、以下の式（１）のように計算することができる。
【００３７】
（２／４）×Ｙ＋（１／４）×Ｒ＋（１／４）×Ｗ＝（２／４）×（１、１、０）＋（１／４）×（１、０、０）＋（１／４）×（１、１、１）＝（１、０．７５、０．２５）・・・・・・・（１）
上記正方形の領域が十分に小さい場合、４つの各部分領域の色を人間は個別に認識する
ことができず、１つの色と認識することになる。上記の場合、人間が認識するのは、ＲＧＢ色成分が（１、０．７５、０．２５）である中間色、つまり、茶色になる。
【００３８】
本実形態では、このような性質を用いて、織物データを複数の要素から構成される一定の領域（ブロック）に分割し、このブロックのＲＧＢ成分が原画像の対応するブロックのＲＧＢ成分と近くなるように、ブロックの各要素を決定する。
【００３９】
あるブロックがｎ個の要素を持ち、そのうちｎK個の要素がＫ、ｎW個の要素がＷ、ｎR個の要素がＲ、ｎG個の要素がＧ、ｎB個の要素がＢ、ｎC個の要素がＣ、ｎM個の要素がＭ、ｎY個の要素がＹであるとする。このようであると、このブロックが反射する光のＲＧＢ色成分は、以下の式（２）で計算される。
ｆn（ｎK、ｎW、ｎR、ｎG、ｎB、ｎC、ｎM、ｎY）
＝（ｎK／ｎ）×（０、０、０）＋（ｎW／ｎ）×（１、１、１）＋（ｎR／ｎ）×（１、０、０）＋（ｎG／ｎ）×（０、１、０）＋（ｎB／ｎ）×（０、０、１）＋（ｎC／ｎ）×（０、１、１）＋（ｎM／ｎ）×（１、０、１）＋（ｎY／ｎ）×（１、１、０）
＝（１／ｎ）×（ｎW＋ｎR＋ｎM＋ｎY、ｎW＋ｎG＋ｎC＋ｎY、ｎW＋ｎB＋ｎC＋ｎM）・・・・・・・（２）
ただし、式（２）において、各ｎK、ｎW、ｎR、ｎG、ｎB、ｎC、ｎM、ｎYは以下の制約（Ａ）および（Ｂ）を満たす必要がある。
（Ａ）ｎK、ｎW、ｎR、ｎG、ｎB、ｎC、ｎM、ｎYは、０以上ｎ以下の整数
（Ｂ）ｎ＝ｎK＋ｎW＋ｎR＋ｎG＋ｎB＋ｎC＋ｎM＋ｎY
よって、fn（ｎK、ｎW、ｎR、ｎG、ｎB、ｎC、ｎM、ｎY）のとり得る値からなる集合、つまり表現できる色のＲＧＢ成分からなる集合Ｘは、
Ｘ＝{（Ｒ、Ｇ、Ｂ）｜Ｒ、Ｇ、Ｂは、それぞれ、０／ｎ、１／ｎ、・・・、または、ｎ／ｎの何れかの値}となる。従って、各ＲＧＢ成分の値が１／ｎ刻みであるという制約はあるが、式（２）によりほとんど全ての中間色を表すことができる。
【００４０】
原画像にある中間色Ｃ＝（Ｒ、Ｇ、Ｂ）にＲＧＢ成分が最も近くなるようにブロックに含まれる各要素の値（色）を決定するには、中間色Ｃ＝（Ｒ、Ｇ、Ｂ）と色fn（ｎK、ｎW、ｎR、ｎG、ｎB、ｎC、ｎM、ｎY）との差が十分小さくなる、あるいは、最小になるように、ｎK、ｎW、ｎR、ｎG、ｎB、ｎC、ｎM、ｎYを定めればよい。具体的には、Ｃに最も近いＸに含まれる色（Ｒ'、Ｇ'、Ｂ'）を求め、以下の方程式
Ｒ'＝（ｎW＋ｎR＋ｎM＋ｎY）／ｎ
Ｇ'＝（ｎW＋ｎG＋ｎC＋ｎY）／ｎ
Ｂ'＝（ｎW＋ｎB＋ｎC＋ｎM）／ｎ
を（Ａ）と（Ｂ）の制約の上で連立方程式として解けばよい。
【００４１】
このように、原画像にある中間色ＣにＲＧＢ成分が最も近くなるようブロックの各要素の色を決定することにより、原画像をよく再現する織物データを作成することができる。
【００４２】
ことのき、織物データの各ブロックの要素（小ブロック）は、同じ数にし、要素が複数の行を形成するようにする。そして、任意の行における要素に配置する色は、基本８色のうちの２色以上７色以下からなる母集団（選定色）から選び、１行前（あるいは１行後）の行に置ける要素に配置する色は、基本８色のうちの２色以上７色以下からなり、かつ、上記母集団が含む色とは異なる色を１色以上含む母集団から選ぶようにする。
【００４３】
つまり、例えば、ブロック内に行が２行ある場合、第１の行における要素に配置する色はＷ、Ｋ、Ｒ、Ｇ、Ｂの中から選び、第２の行における要素に配置する色はＷ、Ｋ、Ｃ、Ｍ、Ｙの中から選ぶ。また、例えば、ブロック内に行が３行ある場合には、第１の行における要素に配置する色はＷ、Ｋ、Ｒ、Ｃの中から選び、第２の行における要素に配置する色はＷ、Ｋ、Ｇ、Ｍの中から選び、第３の行における要素に配置する色はＷ、Ｋ、Ｂ、Ｙの中から選ぶ。なお、これら色の組み合わせは単なる例示であり、上記したものに限定されない。
【００４４】
織物データにおいてＷ、Ｋ、Ｒ、Ｇ、Ｂの中から選ばれる色が配置される行に対して、実際の織物では、Ｗ、Ｋ、Ｒ、Ｇ、Ｂの色糸からなる色糸のひとまとり（色糸組）を用いて、織物データにより指定された色が織物の表面にでるように織る。また、織物データにおいてＷ、Ｋ、Ｃ、Ｍ、Ｙの中から選ばれる色が配置される行に対して、実際の織物では、Ｗ、Ｋ、Ｃ、Ｍ、Ｙの色糸からなる色糸組を用いて、織物データにより指定された色が織物の表面にでるように織る。
【００４５】
このように色糸組を用いると、少ない色数の緯糸で織物を構成することができる。そのため、コストがかからず、また、織物の厚さを薄くすることができる。また、色糸組は、色の三原色から生じる基本８色である、Ｗ、Ｋ、Ｒ、Ｇ、Ｂ、Ｃ、Ｍ及びＹの色糸から選ばれるため、任意の組の色糸組とその１組前の色糸組として用いる色糸の組み合わせを適宜選択することにより、原画像の色調に近いものを再現することができる。なお、ここで、Ｗの色糸とは、白っぽく見える色糸も含むものとする。また、Ｋ、Ｒ、Ｇ、Ｂ、Ｃ、Ｍ及びＹの色糸についても、同様とする。
【００４６】
また、織物において、１組の色糸組が占領する領域を織物における行と呼ぶと、基本８色全てを使う織物に比べて色糸が少ないため、織物における行間隔を狭くすることができるので、織物の図柄の解像度を上げることができる。
【００４７】
織物において、例えば、Ｗ、Ｋ、Ｒ、Ｇ、Ｂの色糸からなる第１の色糸組と、Ｗ、Ｋ、Ｃ、Ｍ、Ｙの色糸からなる第２の色糸組とが交互に配置されていると、第１の色糸組と第２の色糸組により、色の三原色から生じる８色、Ｗ、Ｋ、Ｒ、Ｇ、Ｂ、Ｃ、Ｍ及びＹの全てが取り込まれている。そのため、フルカラーの原画像に近い色調を織物上に再現することができる。
【００４８】
第１の色糸組および第２の色糸組における色糸の組み合わせおよび数は、上記に限定されない。つまり、例えば、第１の色糸組がＷ、Ｋ、Ｒ、Ｇ、Ｂ、Ｃ、であって、第２の色糸組がＭ、Ｙのようになっていてもかまわない。
【００４９】
また、上記のように、第１の色糸組および第２の色糸組の中に、色の三原色から生じる８色全てが含まれているのが好ましいが、第１の色糸組および第２の色糸組における色糸の組み合わせおよび数は、特に限定されない。
【００５０】
また、例えば、原画像においてＹとＣに近い中間色が少ない場合、これらの色を用いないようにしてもかまわない。つまり、第１の色糸組および第２の色糸組は、ＹとＣを除いた６色（Ｗ、Ｋ、Ｒ、Ｇ、Ｂ、Ｍ）から選んでもよい。この場合も、第１の色糸組および第２の色糸組の中に上記６色全てが含まれると、フルカラーの原画像に近い色調を織物上に再現することができるため、好ましい。
【００５１】
また、例えば、織物の経糸が白の色糸である場合、Ｋ、Ｒ、Ｇ、Ｂの色糸からなる第１の色糸組と、Ｋ、Ｃ、Ｍ、Ｙの色糸からなる第２の色糸組とを交互に配置してもよい。このような場合、Ｗの色糸を織物の表面に出したい場合、経糸を出せばよいことになる。よって、さらに緯糸の数が減らして、原画像の色調をより少ない緯糸で表現することがことができる。なお、経糸は白の色糸に限定されず、Ｗ、Ｋ、Ｒ、Ｇ、Ｂ、Ｃ、Ｍ及びＹの何れの色糸であってもよく、色糸組は縦糸の色糸以外の色糸から選べばよい。
【００５２】
本実施形態では、具体的に、Ｗ、Ｋ、Ｒ、Ｇ、Ｂの色糸からなる色糸組と、Ｗ、Ｋ、Ｃ、Ｍ、Ｙの色糸からなる色糸組とが交互に配置される織物の織物データを作成する場合について、以下に説明する。
【００５３】
図１は織物データの２行×４列の８個の要素からなるブロックである。このブロックのＬ１の４個の要素のうち、ｍK個の要素がＫ、ｍW個の要素がＷ、ｍR個の要素がＲ、ｍG個の要素がＧ、ｍB個の要素がＢとする。また、このブロックのＬ１の４個の要素のうち、ｍ'K個の要素がＫ、ｍ'W個の要素がＷ、ｍ'C個の要素がＣ、ｍ'M個の要素がＭ、ｍ'Y個の要素がＹであるとする。
【００５４】
するとこのブロックが反射する光のＲＧＢ色成分は、式（２）を用いて、
fm（ｍK＋ｍ'K、ｍW＋ｍ'W、ｍR、ｍG、ｍB、ｍ'C、ｍ'M、ｍ'Y）
を計算すると求まる。ただし、明らかに、各ｍK、ｍW、ｍＲ、ｍG、ｍB、ｍ'K、ｍ'W、ｍ'C、ｍ'M、ｍ'Yは、以下の制約（Ａ'）と（Ｂ'）、すなわち、
（Ａ'）ｍK、ｍW、ｍR、ｍG、ｍB、ｍ'K、ｍ'W、ｍ'C、ｍ'M、ｍ'Yはいずれも０以上４以下の整数、かつ
（Ｂ'）ｍK＋ｍW＋ｍR＋ｍG＋ｍB＝４、かつｍ'K＋ｍ'W＋ｍ'C＋ｍ'M＋ｍ'Y＝４
を満たす必要がある。
【００５５】
原画像にある中間色Ｃ＝（Ｒ、Ｇ、Ｂ）にＲＧＢ成分が最も近いブロックの含まれる各要素の値（色）を決定するには、
中間色Ｃ＝（Ｒ、Ｇ、Ｂ）とfm（ｍK＋ｍ'K、ｍW＋ｍ'W、ｍR、ｍG、ｍB、ｍ'C、ｍ'M、ｍ'Y）との差が十分小さくなる、あるいは最小になるように、ｍK、ｍW、ｍR、ｍG、ｍB、ｍ'K、ｍ'W、ｍ'C、ｍ'M、ｍ'Yを定めればよい。
【００５６】
たとえば茶色のＲＧＢ成分（１、０．７５、０．２５）をこのブロックが反射するためには、ｍW＝２、ｍR＝２、ｍ'Y＝４とし、他を０すればよい。なお、ブロック内の各要素の色の配置は、図１に示すものに限定されず、Ｌ１にＲが２つＷが２つ、Ｌ２にＹが４つあるようになっていればよい。例えば、Ｌ１では、左から例えば、Ｒ、Ｗ、Ｒ、Ｗのようになっていてもよい。また、Ｌ１とＬ２が入れ代わっていてもよい。
【００５７】
同じ作業を織物データの全てのブロックに対して行うことにより、織物データを生成することができる。つまり、図５（ａ）に示すように分割した原画像のあるブロックが茶色（１、０．７５、０．２５）の場合、図５（ｂ）に示すように織物データにおける対応するブロック内の色の配列は、上記で説明したように決め、この作業を全ブロックに対して行えばよい。
【００５８】
本実施形態の織物は、以下のように制作することができる。まず、本発明に係る織物を織るための織機およびその周辺機器からなる織物システムについて図６を用いて説明する。
【００５９】
図６に示すように、織物システムは、制御装置１、記憶装置２、外部ディスクドライブ３、メモリカード読み取り装置４、画像読み取り装置５、織機６を含んで構成される。
【００６０】
制御装置１は、織物システムにおける織機以外の各種構成の動作を統括的に制御する。また、原画像から織物データを生成する。つまり、織物データにおける各ブロック内の色の配列を決定する。制御装置１は、例えばＰＣ（Personal Computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置１がインターネットなどの通信ネットワークに接続された構成とする場合、この通信ネットワークを介して上記プログラムをダウンロードしてハードディスクなどにインストールして実行する形態なども考えられる。また、制御装置１にはディスプレイとキーボードが接続されている。
【００６１】
記憶装置２は、ＲＡＭ、ＲＯＭ等で構成され、上記した制御プログラム、ＯＳ（operating system）プログラム、原画像に対して、拡大・縮小・回転や、明るさ、色調補正などの処理をおこなうためのプログラム、およびその他各種プログラムを格納したり、取り込んだ写真、絵画、図案等の原画像（原画像データ）を格納したりするものである。
【００６２】
外部ディスクドライブ３は、ＣＤ−ＲＯＭ、ＣＤ−Ｒ、ＤＶＤ−ＲＯＭ、ＤＶＤ−ＲＡＭ、ＭＯ（光磁気ディスク）などの外部ディスクから原画像を読むドライブ装置である。
【００６３】
メモリカード読み取り装置４は、半導体メモリカードから原画像を読む装置である。
【００６４】
また、外部ディスクドライブ３やメモリカード読み取り装置４は、制御部が作成した織物データの書き込みに使用される。
【００６５】
画像読み取り装置５は、デジタルカメラ等から直接原画像を読み込む装置である。
【００６６】
また、スキャナが設けられ、原画像を読み込めるようになっていてもよい。
【００６７】
また、ネットワークを介して、他のコンピュータ等に格納されている原画像も取り込むことができる。
【００６８】
織機６は、織物データに基づいて実際に織物を制作する装置である。制御装置１と織物データは通信ケーブルにより接続しており、制御装置１が生成した織物データを直接織機に送信することができる。また、織機６には外部ディスクドライブ７が設置され、ＣＤ−ＲＯＭ、ＣＤ−Ｒ、ＤＶＤ−ＲＯＭ、ＤＶＤ−ＲＡＭ、ＭＯ（光磁気ディスク）などの外部ディスクから織物データを読み込んで、織物データを基に織物を作製することができるようになっていてもよい。
【００６９】
なお、本実施形態では、上記制御装置１は織機６の各動作の制御は行わず、織機６の各動作の制御は織機６の中に含まれる制御部が行うものとする。しかし、制御装置１が織機６の各動作の制御を行ってもよい。
【００７０】
次に本発明に係る織物を織るための上記システムの動作について、図７のフローチャートを参照しながら説明する。まず、ステップ１（以降、Ｓ１のように称する）において、外部ディスクドライブ３、メモリカード読み取り装置４、画像読み取り装置５、または、ネットワーク等を介して制御装置１に写真、絵画、図案等の原画像をフルカラーの原画像データとして制御装置１に取り込む。あるいは、ユーザがキーボード（およびマウス）を用いてコンピュータグラフィックにより画像を原画像として入力したものを取り込んでもよい。そして、Ｓ２に進む。
【００７１】
Ｓ２では、制御装置１は、Ｓ１で取り込んだ原画像に対して、拡大・縮小・回転や、明るさ、色調補正などの処理を行う。そしてＳ３に進む。
【００７２】
Ｓ３では、ユーザは、織物データの各行ごとに用いることができる色を、白、黒、赤、緑、青、シアン、マゼンダ及び黄の８色のうち２色以上７色以下を、キーボードを用いて指定する。本実施形態では、奇数行に白、黒、赤、緑、青を用いるように、偶数行に白、黒、シアン、マゼンダ、黄を用いるように指定する。また原画像における各ブロックの大きさも、つまり原画像をいくつのブロックに分けるかを、ユーザがキーボードから入力し指定する。
【００７３】
Ｓ４では、制御装置１は、Ｓ３で指定した色を用いて、原画像のブロックのＲＧＢ成分に最も近くなる様に、対応する織物データにおけるブロック内の色の配列を決定する。これをすべての織物データにおけるブロックに対して実行し、織物データを生成する。
【００７４】
Ｓ５では、制御装置１は、Ｓ４で生成した織物データを出力し、織機はこの織物データに基づいて織物を完成させる。
【００７５】
以上により本実施形態の白、黒、赤、緑、青の色糸組と、白、黒、シアン、マゼンダ、
黄色を用いる色糸組とが交互に配置される織物が完成する。
【００７６】
本発明は上述した実施形態に限定されるものではなく、請求項に示した範囲で種々の変更が可能である。すなわち、請求項に示した範囲で適宜変更した技術的手段を組み合わせて得られる実施形態および実施例についても本発明の技術的範囲に含まれる。
【産業上の利用可能性】
【００７７】
本発明は、彩色された経糸と緯糸を選択的に織物の表面に織り出すことにより、フルカラーの原画像を擬似的にフルカラー表現するカラー織物全般、およびカラーコードデータの作成方法全般に適用することができる。
【図面の簡単な説明】
【００７８】
【図１】本発明の実施形態の織物を織るために用いられる、織物の表面に出す色糸の配置を指定するカラーコードデータにおける１ブロックを表す図である。
【図２】（ａ）は、上記カラーコードデータの一部を示す図であり、（ｂ）は（ａ）のカラーコードデータを用いて織られる織物を表す図である。
【図３】ＲＧＢで表色系の色空間を示す図である。
【図４】上記カラーコードデータにおける別の１ブロックを表す図である。
【図５】（ａ）は原画像を各ブロックに分割したことを表す図であり、（ｂ）は（ａ）の原画像に対応するカラーコードデータを表す図である。
【図６】本実施形態の織物を織るための織物システムの構成を表す図である。
【図７】本実施形態の織物を織るためのカラーコードデータを作成するためのフローチャートである。
【図８】（ａ）は原画像を表す図であり、（ｂ）は従来の色まとめの手法で４色を用いた場合の織物を表す図である。
【符号の説明】
【００７９】
ｖ１、ｖ２、ｖ３、ｖ４、ｖ５、ｖ６    白の色糸
ｈ１    赤の色糸
ｈ２、ｈ４    青の色糸
ｈ３  黒の色糸
【図１】
2005281926.tif 000003
【図２】
2005281926.tif 000004
【図３】
2005281926.tif 000005
【図４】
2005281926.tif 000006
【図５】
2005281926.tif 000007
【図６】
2005281926.tif 000008
【図７】
2005281926.tif 000009
【図８】
2005281926.tif 000010